(57)【要約】      （修正有）【課題】ＳＣＳＩケーブルの接続作業の効率を向上させると共に、品質のばらつきの低減と低価格を達成すること。また、扱うデータにエラーが発生しないようにする。【解決手段】複数の信号線ケーブル１０を配置し１本のケーブルとした一方のケーブル部２と、同様な構成の他方のケーブル部３と、両ケーブル部２，３の間に設けられる接続用のコネクタ部４を有し、クラスタリング（分岐）接続するためのコネクタ部４は、ケーブル部２および３の複数の信号線ケーブル１０の半分１０ａ同士を圧接によって接続するための複数の端子を有する第１の中継コネクタ部１１と、残りの半分１０ｂ同士を圧接によって接続するための複数の端子を有する第２の中継コネクタ部１２と、両中継コネクタ部１１，１２で接続された各信号線ケーブル１０の出力端子となるピンを有するコネクタ先端部１３を備えている。又信号ケーブルを色分け識別すると作業効率はさらに向上する。【選択図】        図３
2005166660.tif 000002
【特許請求の範囲】
【請求項１】
複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルにおいて、上記コネクタ部は、１方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、上記両中継コネクタ部で接続された各信号線ケーブルの出力端子となるピンを有するコネクタ先端部を備えていることを特徴とするＳＣＳＩケーブル。
【請求項２】
前記第１の中継コネクタ部と前記第２の中継コネクタ部は、両端にＵ字状の切り欠きとなるスリット部が設けられた、複数の接続用のＵスリット端子をそれぞれ有すると共に、上記スリット部に前記信号線ケーブルがそれぞれ１本づつ圧入されていることを特徴とする請求項１記載のＳＣＳＩケーブル。
【請求項３】
前記Ｕスリット端子は、その両端のスリット部のスリット幅の大きさが異なっていることを特徴とする請求項２記載のＳＣＳＩケーブル。
【請求項４】
前記一方のケーブル部の信号線ケーブルと他方のケーブル部の信号線ケーブルを、それらがつながった状態でそれぞれ圧接する前記第１の中継コネクタ部および前記第２の中継コネクタ部を設けたことを特徴とする請求項１記載のＳＣＳＩケーブル。
【請求項５】
前記両中継コネクタ部は、それぞれ一端にＵ字状の切り欠きとなるスリット部が設けられた複数の接続用の片側Ｕスリット端子をそれぞれ備えると共に、上記片側Ｕスリット端子のスリット部に挿入される挿入孔を有し、ケーブル挟み込み機能を持つ圧接保持部材を備えたことを特徴とする請求項４記載のＳＣＳＩケーブル。
【請求項６】
前記各信号線ケーブルは、複数のワイヤ線が撚られてそれぞれ１本のケーブルとして構成されていると共に２本のケーブルを撚ることにより１対とし、その対を複数設け、複数対の各撚りピッチを全て同一とせず、複数種有することを特徴とする請求項１、２、３、４または５記載のＳＣＳＩケーブル。
【請求項７】
前記ピンは、先端部に、ＳＣＳＩ機器のコネクタに接続するピン部が形成され、後端部に、前記接続された２本の信号線ケーブルの少なくとも一方が圧入接続されるＵ字状の切り欠きとなるスリット部が形成されていることを特徴とする請求項１、２、３、４、５または６記載のＳＣＳＩケーブル。
【請求項８】
前記ケーブル部を構成する複数の信号線ケーブルを、中心部と、その中心部を囲む内心部と、その内心部を囲む外心部の３つの層に分け、少なくとも中心部と内心部の外周に糸を螺旋状に巻いたことを特徴とする請求項１から７のいずれか１項記載のＳＣＳＩケーブル。
【請求項９】
前記信号線ケーブルの半分または残り半分のいずれか一方を最高６〜１２色に色分けし、その色分けした信号線ケーブルを順に繰り返して配置して前記ケーブル部の内部を構成したことを特徴とする請求項１から８のいずれか１項記載のＳＣＳＩケーブル。
【請求項１０】
複数の信号線ケーブルを円形状に配置し１本のケーブルとしたケーブル部を使用したＳＣＳＩケーブルにおいて、上記複数の信号線ケーブルを中心からの距離によって複数の層に分け、少なくとも中心部分の層の外周に糸を螺旋状に巻いたことを特徴とするＳＣＳＩケーブル。
【請求項１１】
前記複数の層を、中心部と、その中心部を囲む内心部と、その内心部を囲む外心部の３つの層としたことを特徴とする請求項１０記載のＳＣＳＩケーブル。
【請求項１２】
複数の信号線ケーブルを配置し１本のケーブルとしたケーブル部を使用したＳＣＳＩケーブルにおいて、上記複数の信号線ケーブルを複数対のペア・ケーブルとし、各対の少なくとも一方を最高６〜１２色に色分けし、その色分けした信号線ケーブルを順に繰り返して配置したことを特徴とするＳＣＳＩケーブル。
【請求項１３】
ＡＣＫＮＯＷＬＥＤＧＥとＲＥＱＵＥＳＴの制御信号のための信号線ケーブルの色を、前記繰り返される色とは異なる色で特定するようにしたことを特徴とする請求項１２記載のＳＣＳＩケーブル。
【請求項１４】
前記各対の他方の信号線ケーブルを色分けと表面に描かれた点の数および点の形態によって特定するようにしたことを特徴とする請求項１１２または１３記載のＳＣＳＩケーブル。
【請求項１５】
複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルの製造方法において、上記コネクタ部は、一方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、上記両中継コネクタ部で接続された各信号線ケーブルの出力端子となるピンを有するコネクタ先端部を備え、上記複数の信号線ケーブルを複数対のペア・ケーブルとし、上記信号線ケーブルの半分をペア・ケーブルの一方とし、残り半分をペア・ケーブルの他方となるように接続したことを特徴とするＳＣＳＩケーブルの製造方法。
【請求項１６】
前記信号線ケーブルを接続するに当たって、前記ケーブル部の断面で外周側に配置される信号線ケーブルを、最初に接続を行う開始部分と最後に接続を行う終了部分の少なくとも２つの部分に区分し、その接続に当たり撚られることのないようにしたことを特徴とする請求項１５記載のＳＣＳＩケーブルの製造方法。
【請求項１７】
複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルの製造方法において、上記コネクタ部は、一方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、上記両中継コネクタ部で接続された各信号線ケーブルの出力端子となるピンを有するコネクタ先端部を備え、上記一方のケーブル部と上記他方のケーブル部を、つながった１本のケーブルの外皮を一定間隔ではぎ取り、そのはぎ取られた部分の両側から構成すると共に、外皮をはぎ取った部分の信号線ケーブルの半分を上記第１の中継コネクタ部に圧接し、残り半分を上記第２の中継コネクタ部に圧接したことを特徴とするＳＣＳＩケーブルの製造方法。
【発明の詳細な説明】
【技術分野】
【０００１】
本発明は、ＳＣＳＩ（Small Computer System Interface）と呼ばれる双方向パラレル・インターフェースを採用したコンピュータ用周辺装置の接続用ケーブルのコネクタ部分の改良に関する。
【背景技術】
【０００２】
従来、ＳＣＳＩ機器の接続は、外部接続と内部接続の２通りによって行われている。内部接続は、図２３に示すようなＳＣＳＩケーブルとしてのフラットケーブル６０を使用し、そのコネクタ部６１，６１ａを内蔵の基板（カード）や内蔵機器のコネクタに接続することにより行われる。具体的には、図２４に示すように、ＳＣＳＩホストアダプタカード６２のコネクタ６３にフラットケーブル６０の一端のコネクタ部６１を接続し、内蔵機器、例えばハードディスクドライブ６４やＣＤ−ＲＯＭドライブ６５のコネクタ６６，６７にフラットケーブル６０の中間コネクタ部６１ａ，６１ａを接続する。なお、このようなフラットケーブル６０による分岐的接続をクラスタリングと呼ぶ。
【０００３】
一方、外部接続は、外部のＳＣＳＩ機器を接続するもので、図２５に示すように、中間部分がキャプタイヤと呼ばれる断面円形状のケーブル部７１の両端にコネクタ部７２を有するＳＣＳＩケーブル７０を使用する。そして、デージーチェーンと呼ばれる数珠つなぎ方式によって接続するものとなっている。
【０００４】
具体的には、図２６に示すように、パソコン７３から外部に露出しているＳＣＳＩホストアダプタカードの外部接続用コネクタ部分７４に、ＳＣＳＩケーブル７０の一端側のコネクタ部７２を差し込み、他端側のコネクタ部７２を１番目の外部ＳＣＳＩ機器７５のコネクタに接続する。同じようなＳＣＳＩケーブル７０を使用して２番目の外部ＳＣＳＩ機器７６、３番目の外部ＳＣＳＩ機器７７、４番目の外部ＳＣＳＩ機器７８というように順次接続していく。なお、最後に接続されるＳＣＳＩ機器７８の一方のコネクタには、ターミナル７９が接続される。
【０００５】
このように、内部ＳＣＳＩ機器には、フラットケーブル６０によるクラスタリング接続を行い、外部ＳＣＳＩ機器には、キャプタイヤタイプのＳＣＳＩケーブル７０によるデージーチェーン接続を行っている。前者の接続は、シールドが不要なため低価格化に有利であるが、フラットケーブル６０の強度やクロストークが問題となり、外部接続には使用されていない。一方、後者の接続は、強度的には十分であるが、ＳＣＳＩケーブル７０のコネクタ部７２と外部ＳＣＳＩ機器７５，７６，７７，７８のコネクタとの間で何回も接続させているため、インピーダンスが上昇し、所定のインピーダンス値を得にくいものとなってしまう。
【０００６】
このため、最近では、従来のフラットケーブル６０のクラスタリング接続の考えを外部ＳＣＳＩ機器用のＳＣＳＩケーブル７０に適用したものが現れてきている。この方式の新ＳＣＳＩケーブル８０は、図２７に示すように、断面円形状のケーブル部８１の両端にコネクタ部８２，８３が設けられ、同様のケーブル部８４の両端にコネクタ部８３，８５が接続されるものとなっている。このようにして数珠つなぎにして所定台数分の外部ＳＣＳＩ機器を接続可能としている。
【０００７】
この新ＳＣＳＩケーブル８０は、コネクタ部８２，８３，８５をＷｉｄｅ  ＳＣＳＩ機器用のコネクタとした場合、コネクタ部８２，８３，８５のピン数が６８となる。ここでＷｉｄｅ  ＳＣＳＩというのは、データを転送する経路を太くしたものである。すなわち、ＳＣＳＩ−１と呼ばれているものやＳＣＳＩ−２中のＦａｓｔ  ＳＣＳＩと呼ばれているもの、すなわちＳＣＳＩ中の初期の規格のものが８ビット転送なのに対し、ＳＣＳＩ−２中のＷｉｄｅ  ＳＣＳＩは１６ビット転送となっている。このため、最大転送速度は、ＳＣＳＩ−１が５ＭＢ／秒で、Ｆａｓｔ  ＳＣＳＩが１０ＭＢ／秒であるのに対し、Ｆａｓｔ  Ｗｉｄｅ  ＳＣＳＩが２０ＭＢ／秒となっている。ちなみにデータ転送周期をさらに細かくしたＳＣＳＩ−３の規格中のＵｌｔｒａ  ＳＣＳＩの最大転送速度は、２０ＭＢ／秒で、Ｕｌｔｒａ  Ｗｉｄｅ  ＳＣＳＩは４０ＭＢ／秒となっている。
【０００８】
Ｗｉｄｅ  ＳＣＳＩ機器用の新ＳＣＳＩケーブル８０では、図２８に示す模式図のように、ケーブル部８１，８４の内部に３４対で合計６８本の信号線ケーブルＳ１，Ｓ２，…，Ｓ３５，Ｓ３６，…，Ｓ６８（以下総称して信号線ケーブルＳＣという）が入っている。一方、コネクタ部８３には、各列３４本で２列で合計６８本のピンＰ１，Ｐ２，…Ｐｎ，…，Ｐ３５，Ｐ３６，…（以下総称してピンＰＩという）が設置されている。そして、ケーブル部８１，８４のそれぞれの信号線ケーブルＳ１，Ｓ１がピンＰ１にはんだ付けされる。ピンＰ２には、ケーブル部８１，８４のそれぞれの信号線ケーブルＳ２，Ｓ２がはんだ付けされる。このように、１列目の計３４本のピンＰＩには、信号線ケーブルＳ１からＳ３４が接続され、２列目の計３４本のピンＰＩには、信号線ケーブルＳ３５からＳ６８が接続される。
【０００９】
なお、ＷｉｄｅでないＳＣＳＩ機器（以下Ｎａｒｒｏｗ  ＳＣＳＩ機器と呼ぶ）用の新ＳＣＳＩケーブル８０では、２５対で合計５０本の信号線ケーブルが入っており、その接続関係は、Ｗｉｄｅ  ＳＣＳＩ機器用の新ＳＣＳＩケーブル８０と全く同様となっている。このＷｉｄｅＳＣＳＩ機器用やＮａｒｒｏｗ  ＳＣＳＩ機器用の新ＳＣＳＩケーブル８０中の信号線ケーブルＳＣは、それぞれ７本の信号線が撚られて形成されている。また、ピンＰＩは、図２８に示すように、折り曲げられているため、コネクタ部８２，８３，８５の各前面側では、平行な２列となっているが、背面側では、前面側の１列部分が千鳥状に２列に配列され、計４列となっている。
【発明の開示】
【発明が解決しようとする課題】
【００１０】
最近使用され始めた新ＳＣＳＩケーブル８０は、上述したように、コネクタ部８３等に信号線ケーブルＳＣを接続する際、各ピンＰＩにそれぞれ２本の信号線ケーブルＳＣをはんだ付けするいわゆるダブルはんだが必要となっている。このダブルはんだを行う場合、まずケーブル部８１の各１対の信号線ケーブルＳＣの一方を一方の列のピンＰＩにはんだ付けする。その後、ケーブル部８４の各１対の信号線ケーブルＳＣの一方をその一方の列のピンＰＩにはんだ付けする。このとき、先の信号線ケーブルＳＣと対応するものを捜しながら、かつ先に行われたはんだ付けが取れないように行わなければならないので、そのはんだ付け作業に多くの時間を要するものとなる。
【００１１】
１列目のピンＰＩへのはんだ付けが終了すると、次に２列目へのはんだ付けを同様にして行う。このときも、まずケーブル部８１の各１対の信号線ケーブルＳＣの残りをはんだ付けした後、ケーブル部８４の各１対の信号線ケーブルＳＣの残りをはんだ付けする。このはんだ付けの場合も、各信号線ケーブルＳＣを対応させながら、かつ先のはんだ付けが取れないように行う必要があり多くの時間を要している。
【００１２】
この新ＳＣＳＩケーブル８０のダブルはんだ付け作業は、上述のように、作業時間が多大となることに加え、非常に細かい作業となるため、熟練性が必要となると共に品質のばらつきが生じがちとなる。すなわち、熟練度が低い人間が作業を行うと、はんだ付け不良によって接続不良が生じがちとなる。しかも、はんだ付け用のコネクタ部８３，８５は、特殊タイプとなり、価格が高いものとなる。
【００１３】
また、従来のケーブル部８１，８４は、その信号線ケーブルＳＣの位置が一定位置とならず、インピーダンスが安定しないものとなっている。このため、ＳＣＳＩ−２，ＳＣＳＩ−３のような高速転送、特に４０ＭＢ／秒の高速転送を有するＵｌｔｒａ  Ｗｉｄｅ  ＳＣＳＩの外部ＳＣＳＩ機器に使用すると、転送されるデータが不安定となる。
【００１４】
本発明は、上述の問題を解決するために提案されたもので、作業効率を向上させ得ると共に、品質のばらつきの低減化と低価格を達成できるＳＣＳＩケーブルを提供することを目的とする。また、他の発明は、インピーダンスを安定化することによって、扱うデータにエラーが発生しないようにできるＳＣＳＩケーブルを提供することを目的とする。
【課題を解決するための手段】
【００１５】
上述の目的を達成するため、請求項１記載の発明では、複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルにおいて、コネクタ部は、一方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、両中継コネクタ部で接続された各信号線ケーブルの出力端子となるピンを有するコネクタ先端部を備えている。
【００１６】
このように、圧接によって接続する２つの中継コネクタ部を設けているので、いわゆるダブルはんだ付け作業が不要となり、作業効率が大幅に向上すると共に品質も安定する。また、ダブルはんだ付けが可能なコネクタを使用する必要もなくなり、部品コストも低減する。
【００１７】
また、第１の中継コネクタ部と第２の中継コネクタ部は、両端にＵ字状の切り欠きとなるスリット部が設けられた、複数の接続用のＵスリット端子をそれぞれ有すると共に、スリット部に信号線ケーブルがそれぞれ１本づつ圧入されるようにしても良い。
【００１８】
このようにすると、両端にＵ字状の切り欠きとなるスリット部を有するＵスリット端子を用い、各スリット部にそれぞれ１本ずつの信号線ケーブルが圧入されると、各信号線ケーブルとＵスリット端子との接続が確実となり、データ転送エラーが生じなくなる。
【００１９】
さらに、本発明のＳＣＳＩケーブルにおいて、Ｕスリット端子は、その両端のスリット部のスリット幅の大きさを異ならせている。
【００２０】
Ｕスリット端子の両端のスリット部のスリット幅を異ならせると、接続する信号線ケーブルの太さを両端で異なったものとすることができる。このため、一方のケーブル部を太くし、他方のケーブル部を細くしたり、その逆としたりすることが可能となり、ケーブル部の外観をすっきりさせたり、きれいなものとしたりすることができる。
【００２１】
また、一方のケーブル部の信号線ケーブルと他方のケーブル部の信号線ケーブルを、それらがつながった状態でそれぞれ圧接する第１の中継コネクタ部および第２の中継コネクタ部を設けるのが好ましい。
【００２２】
両ケーブル部の信号線ケーブルがつながった状態で圧接されるため、インピーダンスが安定する。しかも、１本のケーブルから両ケーブル部を構成することが可能になると共に、接続用コネクタ部の構成が簡略化されるため、接続作業の工程が少なくなり作業能率が向上すると共に材料費が低くなり、低コスト化が可能となる。
【００２３】
さらに、両中継コネクタ部は、それぞれ一端にＵ字状の切り欠きとなるスリット部が設けられた複数の接続用の片側Ｕスリット端子をそれぞれ備えると共に、片側Ｕスリット端子のスリット部に挿入される挿入孔を有し、ケーブル挟み込み機能を持つ圧接保持部材を備えるのが好ましい。
【００２４】
このように、一端にＵ字状の切り欠きとなるスリット部を有する片側Ｕスリット端子を用い、各スリット部に信号線ケーブルが圧入されると、各信号線ケーブルと片側Ｕスリット端子との接続が確実となり、データ転送エラーが生じなくなる。さらに、その圧接状態を強固にするために圧接保持部材を設けているので、一層接続が確実となると共に、その接続状態を長期間維持させることが可能となる。
【００２５】
さらに、各信号線ケーブルは、複数のワイヤ線が撚られてそれぞれ１本のケーブルとして構成されていると共に、２本のケーブルを撚ることにより１対とし、その対を複数設け、複数対の各撚りピッチを全て同一とせず、複数種有するようにするのが好ましい。
【００２６】
信号線ケーブルの複数のワイヤ線が撚られて１本のケーブルとされると、圧接によって接続される際、端子との接触面積を大きくでき接触が安定し、転送されるデータにエラーが生じないものとなる。しかも、２本のケーブルの撚りピッチが他の対と異なるようにしているので、ペア・ケーブル間のクロストークが減少し、一層安定したデータ転送が可能となる。
【００２７】
また、ピンは、先端部に、ＳＣＳＩ機器のコネクタに接続するピン部が形成され、後端部に、接続された２本の信号線ケーブルの少なくとも一方が圧入接続されるＵ字状の切り欠きとなるスリット部が形成されるようにするのが好ましい。
【００２８】
コネクタ先端部のピンの後端にＵ字状の切り欠きとなるスリット部が形成され、そのスリット部に信号線ケーブルが圧入されるようになると、コネクタ先端部で接続された信号線ケーブルを中継コネクタ部でそのまま使用できるようになる。このため、両中継コネクタ部での圧接作業が簡単となり、作業効率が大幅に向上する。
【００２９】
加えて、ケーブル部を構成する複数の信号線ケーブルを、中心部と、その中心部を囲む内心部と、その内心部を囲む外心部の３つの層に分け、少なくとも中心部と内心部の外周に糸を螺旋状に巻くのが好ましい。
【００３０】
このように、ケーブル部の内部を中心部、内心部、外心部の３つの層に分けて、少なくとも中央の２層の外周に糸を螺旋状に巻いているので、ケーブルのインピーダンスが安定すると共に所定の重要な信号線ケーブル間、例えば、制御信号用のケーブル間が固定され、データ転送が安定的に行われる。
【００３１】
さらに、信号線ケーブルの半分または残り半分のいずれか一方を最高６〜１２色に色分けし、その色分けした信号線ケーブルを順に繰り返して配置してケーブル部の内部を構成するのが好ましい。
【００３２】
信号線ケーブルの色を最高６〜１２色として、その色を繰り返し使用することにより、製造時の作業効率を一段とアップさせることができる。たとえば、色を１０種類使用することは、ケーブル部の半分となる計３４本または計２５本の信号線ケーブルの場合、３回強また２．５回繰り返されることとなり、人間の記憶上および作業上好ましいものとなる。色数が少ないと、現れる色の回数が多くなり、作業ミスが発生しがちとなる。また、色数があまり多いと、覚えきれずかえって作業性が悪くなる。
【００３３】
また、他の発明では、複数の信号線ケーブルを円形状に配置し１本のケーブルとしたケーブル部を使用したＳＣＳＩケーブルにおいて、複数の信号線ケーブルを中心からの距離によって複数の層に分け、少なくとも中心部分の外周に糸を螺旋状に巻いている。
【００３４】
このように、ケーブル部の内部を複数の層に分けて、少なくとも中心部分の外周に糸を螺旋状に巻いているので、ケーブルのインピーダンスが安定すると共に所定の重要な信号線ケーブル間、例えば、制御信号用のケーブル間が固定され、データ転送が安定的に行われる。
【００３５】
さらに、複数の層を、中心部と、その中心部を囲む内心部と、その内心部を囲む外心部の３つの層とするのが好ましい。
【００３６】
このようにケーブルの内部を３つの層に分けているので、２５対もしくは５０本または３４対もしくは６８本の信号線ケーブルを、ケーブル部全体にかつ断面円形状にバランス良く配置できることとなる。
【００３７】
また、他の発明は、複数の信号線ケーブルを配置し１本のケーブルとしたケーブル部を使用したＳＣＳＩケーブルにおいて、複数の信号線ケーブルを複数対のペア・ケーブルとし、各対の少なくとも一方を最高６〜１２色に色分けし、その色分けした信号線ケーブルを順に繰り返して配置している。
【００３８】
信号線ケーブルに色の６〜１２色を繰り返し使用することにより、製造時の作業効率を一段とアップさせることができる。色を６〜１２種類使用することはケーブル部の半分となる計３４本または計２５本の信号線ケーブルの場合、約２回強〜５．５回繰り返されることとなり、人間の記憶上および作業上好ましいものとなる。色数が少ないと、現れる色の回数が多くなり、作業ミスが発生しがちとなる。また、色数があまり多いと、覚えきれずかえって作業性が悪くなる。
【００３９】
さらに、ＡＣＫＮＯＷＬＥＤＧＥとＲＥＱＵＥＳＴの制御信号のための信号線ケーブルの色を、繰り返される色とは異なる色で特定するようにしても良い。このように構成すると、重要な制御信号用の信号線ケーブルを常に所定の位置に正しく配置でき、安定したデータ転送を行えるＳＣＳＩケーブルを得ることができる。
【００４０】
さらに、各対の他方の信号線ケーブルを色分けと表面に描かれた点の数および点の形態によって特定するようにするのが好ましい。このように、ペア・ケーブルの各対の他方を色分けと点の数および点の形態によって特定しているので、その信号線ケーブルに対応する色分けされた信号線ケーブルを間違いなく組み合わせることが可能となる。
【００４１】
また、本発明の製造方法は、複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルの製造方法において、コネクタ部は、一方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、両中継コネクタ部で接続された各信号線ケーブルの出力端子となるピンを有するコネクタ先端部を備え、複数の信号線ケーブルを複数対のペア・ケーブルとし、信号線ケーブルの半分をペア・ケーブルの一方とし、残り半分をペア・ケーブルの他方となるように接続としている。
【００４２】
このように構成すると、圧接によって接続する２つの中継コネクタ部を設けているので、いわゆるダブルはんだ付け作業が不要となり、作業効率が大幅に向上すると共にＳＣＳＩケーブルの品質も安定する。
【００４３】
さらに、信号線ケーブルを接続するに当たって、ケーブル部の断面で外周側に配置される信号線ケーブルを、最初に接続を行う開始部分と最後に接続を行う終了部分の少なくとも２つの部分に区分し、その接続に当たり撚られることのないようにしても良い。このように構成すると、ケーブル部内を２分割するような形で信号線ケーブルを接続していくので、信号線ケーブルがねじれてしまうのを防止することができる。この結果、作業性が向上すると共にケーブルの品質が安定する。
【００４４】
また、他の発明の製造方法は、複数の信号線ケーブルを配置し１本のケーブルとした一方のケーブル部と、同様な構成の他方のケーブル部と、両ケーブル部の間に設けられるＳＣＳＩ機器への接続用のコネクタ部を有し、クラスタリング接続するためのＳＣＳＩケーブルの製造方法において、コネクタ部は、一方のケーブル部の複数の信号線ケーブルの半分と他方のケーブル部の信号線ケーブルの半分とを圧接によって接続するための複数の端子を有する第１の中継コネクタ部と、一方のケーブル部の信号線ケーブルの残り半分と他方のケーブル部の信号線ケーブルの残り半分とを圧接によって接続するための複数の端子を有する第２の中継コネクタ部と、両中継コネクタ部で接続された各信号線ケーブルの出力端子となるピンを有するコネクタ先端部を備え、一方のケーブル部と他方のケーブル部を、つながった１本のケーブルの外皮を一定間隔ではぎ取り、そのはぎ取られた部分の両側から構成すると共に外皮をはぎ取った部分の信号線ケーブルの半分を第１の中継コネクタ部に圧接し、残り半分を第２の中継コネクタ部に圧接している。
【００４５】
１本のつながったケーブルをそのまま利用し、かつ切断することなくＳＣＳＩケーブルが製造されるので、ダブルはんだ付けが不要となり、製造効率をアップでき、製造コストを低減させることが可能となる。しかも、この製造方法で製造されたＳＣＳＩケーブルは、切断部分が無く、その品質が安定する。
【発明の効果】
【００４６】
本発明では、ダブルはんだ付け作業が不要となり、作業効率が向上すると共にケーブルの品質も安定する。また、市販の通常のコネクタを使用することが可能となり、部品のコストも低減させることが可能となる。また、他の発明では、ケーブル部のインピーダンスが安定すると共に所定の重要な信号線ケーブル間が固定され、データ転送が安定的に行われる。さらに、他の発明では、製造時の接続の作業効率を向上させることができる。さらに、本発明のＳＣＳＩケーブルの製造方法では、ダブルはんだ付け作業が不要となり、作業効率が大幅に向上する。
【発明を実施するための最良の形態】
【００４７】
以下、本発明の実施の形態の例を図１から図２２に基づいて説明する。
【００４８】
このＳＣＳＩケーブル１は、図２５に示す新ＳＣＳＩケーブル８０のように、クラスタリング接続を行わせるケーブルとなっている。このＳＣＳＩケーブル１は、複数の信号線ケーブル１０を円形状に配置し、１本のケーブルとした一方のケーブル部２と、同様な構成の他方のケーブル部３と、両ケーブル２，３の間に設けられるＳＣＳＩ機器への接続用のコネクタ部４とを有している。また、ＳＣＳＩホストアダプタカード（図示省略）に接続するための先端側に設けられるコネクタ部５と、ケーブル部３からさらに数珠つなぎされるケーブル部６とコネクタ部７等をＳＣＳＩケーブル１は有している。なお、ケーブル部６はケーブル部３と、コネクタ部７はコネクタ部４とそれぞれ同様な構成となっている。
【００４９】
この実施の形態で示すＳＣＳＩケーブル１は、Ｗｉｄｅ  ＳＣＳＩ機器用となっており、図２に示すように計６８本のピンＰ１〜Ｐ６８を有している。この計６８本のピンＰ１〜ピンＰ６８は、各３４本ずつの２列に分かれて配置される。
【００５０】
コネクタ部４は、一方のケーブル部２の複数の信号線ケーブル１０の半分１０ａと、他方のケーブル部３の信号線ケーブル１０の半分１０ａとを圧接によって接続する第１の中継コネクタ部１１を有している。また、一方のケーブル部２の信号線ケーブル１０の残り半分１０ｂと、他方のケーブル部３の信号線ケーブル１０の残り半分１０ｂとを圧接によって接続する第２の中継コネクタ部１２も有している。コネクタ部４には、さらに、両中継コネクタ部１１，１２で接続された信号線ケーブル１０の出力端子となるピンＰ１〜Ｐ６８が設けられている。ここでピンＰ１〜Ｐ３４は、信号線ケーブル１０の各残り半分１０ｂ，１０ｂの出力端子となり、ピンＰ３５〜Ｐ６８は、信号線ケーブルの半分１０ａ、１０ａの出力端子となる。
【００５１】
コネクタ部４の先端は、ピンＰ１〜Ｐ６８をインサート成形したコネクタ先端部１３となっている。このコネクタ先端部１３は、横幅が広くならないように、例えば、図４に示されるように、ピンＰ３５〜６８に関しては奇数番号のものが後ろ側に位置し、偶数番号のものが先端側に位置するように千鳥状には位置されている。この関係は、ピンＰ１〜Ｐ３４も同様となっている。
【００５２】
ピンＰ１〜Ｐ６８は、長さが長いものと短いものの２種類となっているが、構造的にはそれぞれ同様な構造となっている。すなわち、ピンＰ１〜ピンＰ６８（以下ピンＰと総称する）は、導電性を有する金属で構成され、その先端が細径のピン状となるピン部１５となっており、後端がＵ字状の切り欠きとなるスリット部１６となっている。スリット部１６に信号線ケーブル１０が圧入され、その圧入の際に信号線ケーブル１０の被覆部が破れることにより、ピンＰと信号線ケーブル１０とが信号線ケーブル１０とが接続されるようになっている。すなわち、ピンＰと信号線ケーブル１０とは、圧接されている。
【００５３】
第１の中継コネクタ部１１と第２の中継コネクタ部１２とは、同様な構造となっており、以下両中継コネクタ部１１，１２を代表して、第１の中継コネクタ部１１について説明することとする。第１の中継コネクタ部１１は、図３、図６および図７に示すように、両端にＵ字状の切り欠きとなるスリット部２１，２１が設けられたＵスリット端子２０を複数有している。そして、第１の中継コネクタ部１１は、このＵスリット端子２０をインサート成形によって一体的に保持する本体部２２およびこの本体部２２を両側からそれぞれ覆う蓋体部２３，２３とを有している。
【００５４】
Ｕスリット端子２０は、導電性を有する金属で構成され、スリット部２１，２１と、係合突部２５，２５とを有している。スリット部２１は、ピンＰのスリット部１６と同様な形状となっており、２つの挟み込み部２６，２６の間に形成されるものとなっている。スリット部２１は、図７に示すように、その先端が大きく扇状に開けた先端部２１ａと、接続する信号線ケーブル１０の直径Ｍ１よりわずかに大きい径Ｌ１を有し、信号線ケーブル１０を一旦載置できるケーブル保持部２１ｂと、信号線ケーブル１０の内径Ｍ２より小さい径Ｌ２を有し、信号線ケーブル１０中のワイヤ線ＷをＵスリット端子２０と接触させる接触部２１ｃとを有している。
【００５５】
ケーブル部２，３，６は、それぞれ同様な構造となっており、以下ケーブル部２の構造を代表して説明することとする。ケーブル部２は、図８（Ａ）に示すように大きく分けて外側の被覆部３０と、内側のコア部３１とからなる。被覆部３０は、外側から内側に向かって順に、シース、編組シールド、導電テープ、抑え巻テープが積層されている。シースは、８０℃耐熱性を有する、樹脂材が入った弾性部材で、編組シールドは、錫メッキ軟銅線から形成されている。また、導電テープは、ラップ巻きされている。抑え巻テープは、内側のコア部３１を抑えるものとなっている。
【００５６】
コア部３１は、図８（Ｂ）に示すように、芯３２を中心として、その外周が第１の糸３３によって螺旋状に巻かれた中心部３４と、その中心部３４を囲み、その外周が第２の糸３５によって螺旋状に巻かれた内心部３６と、その内心部３６を囲み、その外周が第３の糸３７によって螺旋状に巻かれた外心部３８の３つの層に分かれている。なお、第３の糸３７を設けず、抑え巻テープを外心部３８の外周に直接巻くようにしても良い。
【００５７】
コア部３１を構成する信号線ケーブル１０は、計６８本であるが、それらは３４対のツイストペア・ケーブルＮｏ．１〜Ｎｏ．３４から構成されている。その配置は、図１３に示すとおりとなっている。ツイストペア・ケーブルＮｏ．１〜Ｎｏ．３４（以下総称してツイストペア・ケーブルＴＷという）は、図９に示すように２つの信号線ケーブル１０，１０が撚られて形成されたものとなっている。
【００５８】
なお、この実施の形態では、この撚りピッチＰＷは、インピーダンスの安定を考慮して、５段階（＝５種類）を採用している。すなわち、撚りピッチＰＷが１５ｍｍ，２０ｍｍ，２５ｍｍ，３０ｍｍ，３５ｍｍの５つとなっている。また、この実施の形態では、１５〜３０ｍｍの撚りピッチのものがそれぞれ７対（合計２８対）で、３５ｍｍのものが６対含まれるようにしている。なお、この撚りピッチＰＷをすべてのツイストペア・ケーブルＴＷで同一としたり、２種類や３種類等の他の種類数としても良い。
【００５９】
各信号線ケーブル１０は、７本のワイヤ線Ｗを、樹脂等で形成された被覆部４０が覆うものとなっている。この実施の形態では、ワイヤ線Ｗは錫メッキされた軟銅線となっており、被膜部４０は、厚さ０．０２５ｍｍの樹脂からなるスキン層と、厚さ０．１３ｍｍの内側の発泡ポリエチレンの層から形成されている。
【００６０】
信号線ケーブル１０は、Ｕスリット端子２０のスリット部２１に圧入されＵスリット端子２０に圧接される。この圧接状態を図１１に示す。信号線ケーブル１０の被覆部４０が破れ、ワイヤ線ＷとＵスリット端子２０とが接触状態となる。なお、この圧接状態は、信号線ケーブル１０がピンＰのスリット部１６に圧接されるときも同様となる。
【００６１】
各ツイストペア・ケーブルＴＷがどのピンＰに接続されるかを図１２の表に示す。図３に示すケーブル部２の信号線ケーブル１０ａは、図１２の各ツイストペア・ケーブルＴＷの上欄に記載されたピン番号のものに相当し、信号線ケーブル１０ｂは、図１２の各ツイストペア・ケーブルＴＷの下欄に記載されたピン番号のものに相当する。すなわち、ツイストペア・ケーブルＮｏ．１の一方の信号線ケーブル１０ａは、ピンＰ１に接続され、他方の信号線ケーブル１０ｂはピンＰ３５に接続される。同様にして、ツイストペア・ケーブルＮｏ．２の一方の信号線ケーブル１０ａは、ピンＰ２に接続され、他方の信号線ケーブル１０ｂは、ピンＰ３６に接続される。このようにして、ケーブル部２の信号線ケーブル１０は、その半分１０ａと残り半分１０ｂに分けてピンＰに接続される。
【００６２】
ツイストペア・ケーブルＮｏ．２４は、いわゆるＡＣＫＮＯＷＬＥＤＧＥ（以下ＡＣＫという）の信号用となっている。なお、ＡＣＫは、データ転送において、イニシエータ（操作の実行要求を行う側）が応答を示すために送出する信号のことを言う。また、ツイストペア・ケーブルＮｏ．２９は、いわゆるＲＥＱＵＥＳＴ（以下ＲＥＱという）の信号用となっている。このＲＥＱは、データ転送において、ターゲット（操作の実行要求に応じる側）がデータ転送を要求するために送出する信号のことを言う。
【００６３】
なお、これらＡＣＫとＲＥＱのシングルエンドでのインピーダンスは、９０オーム±６オームとされ、他の信号線ケーブル１０に要求されるインピーダンス（＝９０オーム±１０オーム）より厳しく規定されている。また、ディファレンシャルでのインピーダンスは、ＲＥＱとＡＣＫならびにその他は共に１１５〜１３５オームとされている。さらに伝搬遅延時間は、最大５．４ｎｓ（ナノセック）とされている。
【００６４】
このようにＡＣＫとＲＥＱは、データ転送を行う際の極めて重要な制御信号である。このため、安定的なデータ送受信を行うには、両信号用のツイストペア・ケーブルＮｏ．２４，Ｎｏ．２９は、所定距離において確実に固定される必要がある。この実施の形態のケーブル部２，３，６は、図８および図１３に示すように第１の糸３３，第２の糸３５，第３の糸３７で各層が分離されると共に各信号線ケーブル１０が固定されるので、各信号線ケーブル１０のインピーダンスが安定する。特に、ＡＣＫとＲＥＱのツイストペア・ケーブルＮｏ．２４，Ｎｏ．２９が所定距離において固定されるため、データ送受信が安定したものとなる。また、このＡＣＫとＲＥＱのための信号線ケーブル１０の直径は、約０．６３ｍｍで、他の信号線ケーブルのものより０．０２ｍｍ程度太くされている。これは前述のスキン層を厚くすることにより達成している。
【００６５】
各信号線ケーブル１０は、その被覆部４０のスキン層に色が付されており、接続の際に作業効率を高めるようにされている。また、ピンＰ１〜Ｐ３４に接続される信号線ケーブル１０には、４種類の目印が順に付されている。この目印は、図１４（Ａ）に示すように、赤色または黒色の長い点、図１４（Ｂ）の赤色または黒色の２点、図１４（Ｃ）の赤色または黒色の３点、図１４（Ｄ）の赤色または黒色の連続状態の４種類が採用されている。
【００６６】
図１２に示す各ツイストペア・ケーブルＴＷを半分の信号線ケーブル１０ａと残り半分の信号線ケーブル１０ｂとに分け、かつ各中継コネクタ部１１，１２に接続する順番に上から示すと、図１５に示すとおりとなる。すなわち、Ｎｏ．１から順に接続され、最後にＮｏ．３４のものが接続される。ケーブル部３中の信号線ケーブル１０ａは、第１の中継コネクタ部１１に接続されているが、まず、ツイストペア・ケーブルＮｏ．１の白色でかつ目印が赤長１点の信号線ケーブル１０ａがピンＰ１用に接続される。次に、ツイストペア・ケーブルＮｏ．２の白色で赤２点の信号線ケーブル１０ａがピン２用に接続される。このようにして順に接続されていく。
【００６７】
なお、最初に接続されるツイストペア・ケーブルＮｏ．１は、外心部３８に配置されているもので、外心部３８の約半分のものが先ず接続され、次に、内心部３６のもの、そして、中心部３４のものへ、その後、一旦外心部３８のものが接続される。次に、中心部３４に戻り、すぐに外心部３８のものへ戻る。外心部３８のＮｏ．２５〜Ｎｏ２８が接続された後、一旦中心部３４へ戻り（Ｎｏ．２９用）、最後に、外心部３８の５対のペア・ケーブル（Ｎｏ．３０〜Ｎｏ．３４）の信号線ケーブル１０が接続される。
【００６８】
一方、ケーブル部３中の信号線ケーブル１０ｂは、第２の中継コネクタ部１２に接続される。このとき、信号線ケーブル１０ｂは、最初はピンＰ３５用の茶色から順に８色、すなわち「茶、赤、橙、黄、緑、青、紫、灰」の８色を基本として、７色や６色が順に繰り返されていく。信号線ケーブル１０ｂも信号線ケーブル１０ａと同様に、最初に外心部３８から接続され、内心部３６、中心部３４のものが接続された後、最後に外心部３８の略半分のものが接続される。
【００６９】
以上のようなＳＣＳＩケーブル１においては、コネクタ部４を構成する際、まず、ケーブル部２とコネクタ部４とを上述した基準に基づきピンＰ１〜ピン６８に対して信号線ケーブル１０を接続する。なお、このケーブル部２とコネクタ部４との関係は、図２５に示す従来の２つのＳＣＳＩ機器を接続するためのケーブル部とコネクタ部との関係と全く同一であるため、従来のＳＣＳＩケーブルをそのまま使用しても良い。
【００７０】
ケーブル部２とコネクタ部４を接続した後、一方の信号線ケーブル１０ａを第１の中継コネクタ部１１の各Ｕスリット端子２０に各信号線ケーブル１０ａの位置関係をそのままにして圧接する。同様に、第２の中継コネクタ部１２に各信号線ケーブル１０ｂを圧接する。この圧接は、各Ｕスリット端子２０の一方側のスリット部２１に圧入することにより行われる。なお、信号線ケーブル１０ｂの圧接を、第１の中継コネクタ部１１の両スリット部２１，２１への圧接が終了してから行うようにしても良い。
【００７１】
次に、ケーブル部３のツイストペア・ケーブルＴＷの各一方、例えば、ピンＰ１〜Ｐ３４に接続するための信号線ケーブル１０ａを図１５に示した順に第１の中継コネクタ部１１のＵスリット端子２０の他方のスリット部２１に圧接する。その後、ピンＰ３５〜Ｐ６８に接続するための信号線ケーブル１０ｂを図１５に示した順に第２の中継コネクタ部１２のＵスリット端子２０の他方のスリット部２１に圧接する。なお、ツイストペア・ケーブルＴＷの一方側を先に一括して行い、他方側を後に一括して行うのではなく、各ツイストペア・ケーブルＴＷの１本ずつの各信号線ケーブル１０ａ，１０ｂの一方の信号線ケーブル１０ａをまず第１の中継コネクタ部１１に接続し、次に信号線ケーブル１０ｂを第２の中継コネクタ部１２に接続するというように、交互に接続するようにしても良い。
【００７２】
なお、ケーブル部３は、コネクタ部７と既に接続済みの一般のＳＣＳＩケーブルを使用すれば、ケーブル部３とコネクタ部７との接続作業は不要となる。仮に、ＳＣＳＩ機器２台用のＳＣＳＩケーブル１であれば、以上の作業でコネクタ部４内の接続作業は完了する。ＳＣＳＩ機器３台用のＳＣＳＩケーブル１とするときは、ケーブル部６とコネクタ部が一体化したＳＣＳＩケーブルを上述した作業と同様にしてコネクタ部７に接続すれば出来上がる。同様にして多数のＳＣＳＩ機器をクラスタリング接続するＳＣＳＩケーブル１を簡単に構成できる。
【００７３】
以上の説明では、Ｗｉｄｅ  ＳＣＳＩ機器用のＳＣＳＩケーブル１について説明したが、ピンの数がＷｉｄｅでないＳＣＳＩ機器用のＳＣＳＩケーブル（以下Ｎａｒｒｏｗ  ＳＣＳＩケーブルという）でも同様にして構成できる。なお、Ｎａｒｒｏｗ  ＳＣＳＩケーブルの場合、ツイストペア・ケーブルＴＷ、ピンの番号、信号線ケーブル１０の色と目印の関係は、図１６に示すとおりとなる。ここで、Ｗｉｄｅ  ＳＣＳＩ機器用におけるピン１〜Ｐ３４がＮａｒｒｏｗ  ＳＣＳＩケーブルではピンＰ１〜Ｐ２５に相当し、Ｗｉｄｅ用のピンＰ３５〜Ｐ６８が、Ｎａｒｒｏｗ用のピンＰ２６〜Ｐ５０に相当する。
【００７４】
Ｎａｒｒｏｗ  ＳＣＳＩケーブルでは、ケーブル部のコア部の配置は、図１７に示すとおりとなる。中心部５０が、ツイストペア・ケーブルＮｏ．１９とＮｏ．２４と介在芯５０ａとからなり、そのまわりを第１の糸５１が螺旋状に巻いている。中心部５０を囲んで内心部５２が配置される。内心部５２は、ツイストペア・ケーブルＮｏ．９〜Ｎｏ．１２，Ｎｏ．１４〜Ｎｏ．１８で構成され、それらを第２の糸５３が螺旋状に巻かれている。内心部５２の周りに外心部５４が配置される。外心部５４は、ツイストペア・ケーブルＮｏ．１〜Ｎｏ．８，Ｎｏ．２０〜Ｎｏ．２３，Ｎｏ．２５，Ｎｏ．１３で構成され、それらを抑え巻テープ５５が巻いている。このように構成されているため、各ツイストペア・ケーブルＴＷは、所定位置に固定され、送受信される信号が安定する。
【００７５】
Ｎａｒｒｏｗ  ＳＣＳＩケーブルでは、ＡＣＫの信号用がツイストペア・ケーブルＮｏ．１９となり、ＲＥＱの信号用がツイストペア・ケーブルＮｏ．２４となっている。このため、図１７に示すように、ＡＣＫとＲＥＱの両制御信号用の信号線ケーブル１０は中心部５０となり、しっかり固定される。このため、データの送受信の際に重要となる制御信号が安定し、データ送受信も安定する。なお、ツイストペア・ケーブルＮｏ．１３は、特殊信号用で他の素線径に比べ０．０２７ｍｍ大きい０．１２７ｍｍの径のワイヤ線Ｗを使用している。
【００７６】
Ｗｉｄｅ  ＳＣＳＩ機器用のＳＣＳＩケーブル１における図１５に示す表に対応するＮａｒｒｏｗ  ＳＣＳＩケーブルの信号線ケーブル１０の配置関係は、図１８に示すとおりとなる、この図１８に示されるように、この例でも、図１４に示す目印を使用し、「茶、赤、橙、黄、緑、青、紫、灰」の８色を基本として、８色や５色等使用しているので、作業効率が向上する。
【００７７】
なお、上述の各実施の形態は、本発明の好適な実施の形態の例ではあるが、これらに限定されるものではなく、本発明の要旨を逸脱しない範囲において、種々変形実施可能である。例えば、ピンＰ１〜Ｐ６８の形状を図１９（Ａ）に示すように長く伸ばし、Ｕスリット端子を兼ねるようにし、ケーブル部２，３の各信号線ケーブル１０ａ，１０ｂをスリット部に圧接するようにしても良い。また、図１９（Ｂ）に示すようなピン形状としても良い。図１９（Ａ）（Ｂ）および上述の実施の形態で示すものは、１つのスリット部に１つの信号線ケーブル１０のみを圧接（圧入）するため、１つのスリット部に２つ以上の信号線ケーブル１０を圧入するものに比べ接触が安定し、データ転送が安定する。
【００７８】
また、図２０に示すように、１つのスリット部５６に２本の信号線ケーブル１０ｂ，１０ｂを圧入する方式にし、圧入後、治具によってＵスリット端子のスリット部５６の隙間Ｌ３を狭めるように、力Ｆを加えるようにしても良い。このようにすれば、ある程度、接触の安定性を保つことが可能になる。また、ピンに鋼性の強い材料を採用する等して、スリット部５６の隙間Ｌ３が１つ目の信号線ケーブル１０ｂを圧入しても変わらないようにすれば力Ｆも不要となる。
【００７９】
上述の実施の形態で示すＵスリット端子２０は、両側のスリット部２１の接触部２１ｃの径Ｌ２が同一となっているが、両側の径Ｌ２を異ならせ、異なる太さの信号線ケーブル１０を圧接できるようにしても良い。これによって、ケーブル部２とケーブル部３、ケーブル部３とケーブル部７等、互いに接続される両ケーブル部の太さを異ならせるようにすることができる。このようにすると、ＳＣＳＩ機器に合わせて美感の優れたＳＣＳＩケーブル１とすることができる。また、上述の実施の形態では、ケーブル部２とケーブル部３を、図１で示すように、コネクタ部４で上下に重なるように配置したが、図２５に示す従来のように、横方向に並べて配置するようにしても良い。
【００８０】
また、上述の実施の形態では、ケーブル部２、３等のコア部３１を中心部、内心部、外心部の３層に分けたが、２層や４層等の他の種々の層に分けても良い。また、信号線ケーブル１０ｂについて、１０色に順に色分けしたが、信号線ケーブル１０ａの側を１０色に色分けするようにし、信号線ケーブル１０ｂ側に目印を付すようにしても良い。また、作業効率の面では６〜１２色に色分けするのが好ましく、９〜１１色が最も好ましい。
【００８１】
上述の各実施の形態では、各信号線ケーブル１０は、途中で切断されたものとなっている。しかし、図２１および図２２に示すように、一方のケーブル部２の信号線ケーブル１０と他方のケーブル部３の信号線ケーブル１０とがつながった状態で、片側にＵ字状の切り欠きとなるスリット部５６ａを有する接続用の片側Ｕスリット端子５６に圧接するようにしても良い。この片側Ｕスリット端子５６は、本体５７に保持されると共に、先に示したＰ１〜Ｐ６８やＰ１〜Ｐ５０も兼ねていると共にＰ１〜Ｐ３４（またはＰ１〜Ｐ２５）の部分が第１の中継コネクタ部となり、Ｐ３５〜Ｐ６８（またはＰ２６〜Ｐ５０）の部分が第２の中継コネクタ部となっている。
【００８２】
両圧接保持部材５８，５９は同様な構造となっている。以下、代表して第２の保持部材５９について説明する。第２の圧接保持部材５９の両側面には、複数の鋸歯状凹部５９ａが設けられると共に、その内部に片側Ｕスリット端子５６が挿入される挿入穴５９ｂが設けられている。一方、片側Ｕスリット端子５７を保持する本体５７側にも、鋸歯状凹部５９ａに嵌合する複数の鋸歯状突部５７ａが設けられている。
【００８３】
図２１および図２２に示す構造を採用する場合、その製造方法は次の通りとなる。なお、Ｗｉｄｅ  ＳＣＳＩ用のケーブルについて以下説明する。
【００８４】
まず、１本のケーブル部の中間部分の外皮を一定間隔分はぎ取る。そして、そのはぎ取られた部分の信号線ケーブル１０の一方の信号線ケーブル１０ａを第１の中継コネクタ部となるピンＰ１〜Ｐ３４のスリット部５６ａに圧接する。また、他方の信号線ケーブル１０ｂを、第２の中継コネクタ部となるピンＰ３５〜Ｐ６８のスリット部５６に圧接する。この際、信号線ケーブルの挟み込み機能を有する第１の圧接保持部材５８と第２の圧接保持部材５９を利用して、信号線ケーブル１０を各ピンＰ１〜Ｐ６８に圧入接続する。
【００８５】
図２１に示すように、ケーブル部２，３の信号線ケーブル１０ａは、第１の圧接保持部材５８と本体５７の間で圧接する。一方、ケーブル部２，３の信号線ケーブル１０ｂは、第２の圧接保持部材５９と本体５７との間で圧接される。この圧接は、両圧接保持部材５８，５９の鋸歯状凹部５８ａ，５９ａに信号線ケーブル１０を図２１に示すように交差させるような形で入れ込み、その後、本体５７側と一体化させることにより行う。これによって信号線ケーブル１０ａ，１０ｂは、スリット部５６ａに入り込むと共にその外皮がはがされて片側Ｕスリット端子５６に接続される。また、各信号線ケーブル１０ａ，１０ｂは、鋸歯状突部５７ａと鋸歯状凹部５９ａ，５９ｂとの間にしっかり挟み込まれ、側方に抜け出ることはない。
【００８６】
上述の実施の形態では、ＳＣＳＩケーブル１等のＳＣＳＩ機器用のケーブルを対象としたが、ＳＣＳＩ機器ではなく、他の高速インタフェースを利用する機器、例えば、ＨＳＳＩＣ（High Speed Serial Interface)を使用した機器のケーブルにも本発明を適用することができる。
【図面の簡単な説明】
【００８７】
【図１】本発明の実施の形態のＳＣＳＩケーブルの要部平面図である。
【図２】図１のＳＣＳＩケーブルを図１の矢示II方向から見た要部正面図である。
【図３】図１のＳＣＳＩケーブルのコネクタ部の主要部の側面断面図である。
【図４】図３の矢示IV方向から見たコネクタ先端部の平面図である。
【図５】図１のＳＣＳＩケーブルのコネクタ先端部で使用されているピンの斜視図である。
【図６】図３の矢示VI方向から見た第１の中継コネクタ部の部分背面図である。
【図７】図１のＳＣＳＩケーブルの中継コネクタ部で使用されているＵスリット端子を示す図で、（Ａ）は平面図で、（Ｂ）は（Ａ）の矢示Ｂ方向から見た側面図である。
【図８】図１のＳＣＳＩケーブルのケーブル部の断面を示す図で、（Ａ）は全体構成を示す断面図で、（Ｂ）はコア部の断面を示す構式図である
【図９】図１のＳＣＳＩケーブルのケーブル部を構成するツイストペア・ケーブルの斜視図である。
【図１０】図１のＳＣＳＩケーブルのケーブル部中のツイストペア・ケーブルを構成する信号線ケーブルの断面図である。
【図１１】図１のＳＣＳＩケーブルのＵスリット端子に信号線ケーブルが圧入された状態を示す部分断面図である。
【図１２】図１のＳＣＳＩケーブルのケーブル部の各ツイストペア・ケーブルの番号と、ピンの番号と、信号線ケーブルの色および目印との関係を示す表である。
【図１３】図１のＳＣＳＩケーブルのケーブル部の各ツイストペア・ケーブルの配置関係を示す図である。
【図１４】図１のＳＣＳＩケーブルの信号線ケーブルに付される目印を示す図で、（Ａ）は長１点を示し、（Ｂ）は２点を示し、（Ｃ）は３点を示し、（Ｄ）は連続状態を示している。
【図１５】図１のＳＣＳＩケーブルのケーブル部を、その半分の信号線ケーブルと、残り半分の信号線ケーブルとに分けて、その配置関係を示す表である。
【図１６】図１のＳＣＳＩケーブルのＮａｒｒｏｗ  ＳＣＳＩ機器用の場合の各ツイストペア・ケーブルの番号と、ピンの番号と、信号線ケーブルの色および目印との関係を示す表である。
【図１７】図１のＳＣＳＩケーブルのＮａｒｒｏｗ  ＳＣＳＩ機器用の場合のケーブル部の各ツイストペア・ケーブルの配置関係を示す図である。
【図１８】図１のＳＣＳＩケーブルのＮａｒｒｏｗ  ＳＣＳＩ機器用の場合のケーブル部を、その半分の信号線ケーブルと、残り半分の信号線ケーブルとに分けて、その配置関係を示す表である。
【図１９】図１のＳＣＳＩケーブルのコネクタ先端部および中継コネクタ部で使用されるピンとＵスリット端子を一体的にした例を示す図で、（Ａ）は第１の例を、（Ｂ）は第２の例をそれぞれ示している。
【図２０】図１のＳＣＳＩケーブルのコネクタ先端部および中継コネクタ部で使用されるピンとＵスリット端子を一体的にした第３の例を示す図で、（Ａ）はその側面図で、（Ｂ）は（Ａ）の矢示Ｂ方向から見た部分正面図である。
【図２１】図１のＳＣＳＩケーブルのケーブル部の信号線ケーブルを切断せずに形成する変形例を示す図である。
【図２２】図２１の矢示Ａ方向から見た要部平面図で、圧接保持部材を本体とを一体化する直前の状態を示す図である。
【図２３】従来のフラットケーブル方式のＳＣＳＩケーブルを示す部分平面図である。
【図２４】図２１のフラットケーブルを使用して内蔵のＳＣＳＩ機器を接続した状態を示す図である。
【図２５】従来のキャプタイヤ方式のＳＣＳＩケーブルを示す平面図である。
【図２６】図２５のＳＣＳＩケーブルを使用して外部ＳＣＳＩ機器を接続した状態を示す図である。
【図２７】従来のキャプタイヤ方式でかつクラスタリング接続が可能なＳＣＳＩケーブルを示す部分平面図である。
【図２８】図２５のＳＣＳＩケーブルの内部構造を模式的に示した図である。
【符号の説明】
【００８８】
１  ＳＣＳＩケーブル
２、３  ケーブル部
４、５  コネクタ部
１０  信号線ケーブル
１０ａ  信号線ケーブルの半分
１０ｂ  信号線ケーブルの残りの半分
１１  第１の中継コネクタ部
１２  第２の中継コネクタ部
１３  コネクタ先端部
２０  Ｕスリット端子
２１  スリット部
３２  芯
３３  第１の糸
３４  中心部
３５  第２の糸
３６  内心部
３７  第３の糸
３８  外心部
Ｐ（Ｐ１〜Ｐ６８）  ピン
ＴＷ  ツイストペア・ケーブル
Ｗ  ワイヤ線
【図１】
2005166660.tif 000003
【図２】
2005166660.tif 000004
【図３】
2005166660.tif 000005
【図４】
2005166660.tif 000006
【図５】
2005166660.tif 000007
【図６】
2005166660.tif 000008
【図７】
2005166660.tif 000009
【図８】
2005166660.tif 000010
【図９】
2005166660.tif 000011
【図１０】
2005166660.tif 000012
【図１１】
2005166660.tif 000013
【図１２】
2005166660.tif 000014
【図１３】
2005166660.tif 000015
【図１４】
2005166660.tif 000016
【図１５】
2005166660.tif 000017
【図１６】
2005166660.tif 000018
【図１７】
2005166660.tif 000019
【図１８】
2005166660.tif 000020
【図１９】
2005166660.tif 000021
【図２０】
2005166660.tif 000022
【図２１】
2005166660.tif 000023
【図２２】
2005166660.tif 000024
【図２３】
2005166660.tif 000025
【図２４】
2005166660.tif 000026
【図２５】
2005166660.tif 000027
【図２６】
2005166660.tif 000028
【図２７】
2005166660.tif 000029
【図２８】
2005166660.tif 000030